(57)【要約】【課題】  構成を単純化し、コストを抑えること。【解決手段】  記録シート（Ｓ）が搬送されるシート搬送路（ＳＨｈ）内で詰まった記録シート（Ｓ）を除去するために前記シート搬送路（ＳＨｈ）を開放する開放位置と、前記シート搬送路（ＳＨｈ）を記録シート（Ｓ）が搬送可能な状態にする通常位置と、の間で移動可能な開閉カバー（Ｄ１）と、前記開閉カバー（Ｄ１）の移動に連動して移動可能且つ前記シート搬送路（ＳＨｈ）内を搬送される記録シート（Ｓ）に係合して移動可能な被検出部（３）と、前記被検出部（３）の移動を検出可能なセンサ部（６）とを有する検出センサ（７）とを備えた画像形成装置。【選択図】  図３
2006227464.tif 000002
【特許請求の範囲】
【請求項１】
次の構成要件（Ａ01），（Ａ02）を備えたことを特徴とする画像形成装置、
（Ａ01）記録シートが搬送されるシート搬送路内で詰まった記録シートを除去するために前記シート搬送路を開放する開放位置と、前記シート搬送路を記録シートが搬送可能な状態にする通常位置と、の間で移動可能な開閉カバー、
（Ａ02）前記開閉カバーの移動に連動して移動可能且つ前記シート搬送路内を搬送される記録シートに係合して移動可能な被検出部と、前記被検出部の移動を検出可能なセンサ部とを有する検出センサ。
【請求項２】
次の構成要件（Ａ03），（Ａ04）を備えたことを特徴とする請求項１記載の画像形成装置、
（Ａ03）検出光を出射する発光部と、前記検出光を受光可能な受光部とを有する前記センサ部、
（Ａ04）前記発光部から出射された前記検出光を遮光する遮光部を有する前記被検出部。
【請求項３】
次の構成要件（Ａ05），（Ａ06）を備えたことを特徴とする請求項２記載の画像形成装置、
（Ａ05）前記検出光を遮光する遮光位置と、前記検出光を遮光しない非遮光位置との間を、センサ回転中心を中心として回動可能に支持された前記被検出部であって、前記開閉カバーが通常位置に保持され且つ前記シート搬送路内に記録シートがない場合に前記検出光を遮光する遮光位置に保持されると共に、前記開閉カバーが開放位置に移動した場合または前記シート搬送路内を記録シートが通過する場合に前記検出光を遮光しない位置に回動する前記被検出部、
（Ａ06）前記開放位置と、前記通常位置との間にカバー回転軸を中心として回動可能に構成された前記開閉カバーであって、前記センサ回転中心よりも外側に配置された前記カバー回転中心を有する前記開閉カバー。
【請求項４】
次の構成要件（Ａ07）を備えたことを特徴とする請求項１ないし３のいずれか記載の画像形成装置、
（Ａ07）前記シート搬送路を搬送される記録シートをガイドするシートガイド部と一体的に形成された前記被検出部。
【発明の詳細な説明】
【技術分野】
【０００１】
本発明は、プリンタ、ＦＡＸ、複写機等の画像形成装置に関し、特に、紙詰まりが発生した場合等に記録シートが搬送されるシート搬送路を開放可能な画像形成装置に関する。
【背景技術】
【０００２】
従来のプリンタ、ＦＡＸ、複写機等の画像形成装置では、記録シートが搬送されるシート搬送路にシートセンサを配置して、シート搬送路内で紙詰まり（いわゆるジャム）が発生したか否かの検出を行っている。
このような紙詰まりを検出する従来技術として、下記の従来技術（Ｊ01），（Ｊ02）が従来公知である。
（Ｊ01）特許文献１（特開平８−４０６２１号公報）記載の技術
特許文献１には、定着装置（１０）を通過した記録紙（１３）に接するフィラー部（２４）と、フォトインタラプタ（２５）の発光部・受光部間を進退可能な遮断部（２６）とが軸部（２３ａ）により一体的に回動可能に構成された検知部材（２３）が記載されている。
【０００３】
（Ｊ02）特許文献２（特開平１０−１１４４４６号公報）記載の技術
特許文献２には、シート搬送路内に配置されたアクチュエータ（１）と、スリット（４）が形成されたスリットレバー（３）とが回転軸（２）を中心に回動可能に支持され、前記スリットレバー（３）を挟むように発光および受光素子が配置されたシートセンサが記載され、通常時（シート非通過時）にはスリットレバーにより遮光され、シート通過時にはスリット（４）により検出光を受光することでシートの有無を検出する技術が記載されている。
【０００４】
【特許文献１】特開平８−４０６２１号公報（「００１１」〜「００１５」、第１図〜第４図）
【特許文献２】特開平１０−１１４４４６号公報（「００３３」〜「００４５」、第１図〜第３図）
【発明の開示】
【発明が解決しようとする課題】
【０００５】
（従来技術の問題点）
前記従来技術（Ｊ01）、（Ｊ02）を含む従来の画像形成装置では、紙詰まりが発生すると、詰まった記録シートを除去するために、画像形成装置のカバーを開けてシート搬送路を開放できるように構成されている（例えば、特開２００２−３４４１６３号公報等参照）。
前記カバーが開閉可能な従来の画像形成装置では、シート搬送路が開放された状態で記録シートを搬送できないので、カバーが閉まった状態であることを検出するためのセンサを配置していた。すなわち、従来の画像形成装置では、シートを検出するためのセンサと、カバーの開閉を検出するためのセンサを別々に設けていた。このため、従来の画像形成装置では、複数のセンサを配置するために構成が複雑化し、センサの数が多くなるためコスト高になっているという問題があった。
【０００６】
本発明は、前述の事情に鑑み、次の記載内容（Ｏ01）を技術的課題とする。
（Ｏ01）構成を単純化し、コストを抑えること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明の画像形成装置は、次の構成要件（Ａ01），（Ａ02）を備えたことを特徴とする。
（Ａ01）記録シート（Ｓ）が搬送されるシート搬送路（ＳＨｈ）内で詰まった記録シート（Ｓ）を除去するために前記シート搬送路（ＳＨｈ）を開放する開放位置と、前記シート搬送路（ＳＨｈ）を記録シート（Ｓ）が搬送可能な状態にする通常位置と、の間で移動可能な開閉カバー（Ｄ１）、
（Ａ02）前記開閉カバー（Ｄ１）の移動に連動して移動可能且つ前記シート搬送路（ＳＨｈ）内を搬送される記録シート（Ｓ）に係合して移動可能な被検出部（３）と、前記被検出部（３）の移動を検出可能なセンサ部（６）とを有する検出センサ（７）。
【０００９】
（第１発明の作用）
前記構成要件（Ａ01），（Ａ02）を備えた第１発明の画像形成装置では、開閉カバー（Ｄ１）は、記録シート（Ｓ）が搬送されるシート搬送路（ＳＨｈ）内で詰まった記録シート（Ｓ）を除去するために前記シート搬送路（ＳＨｈ）を開放する開放位置と、前記シート搬送路（ＳＨｈ）を記録シート（Ｓ）が搬送可能な状態にする通常位置と、の間で移動できる。検出センサ（７）の被検出部（３）は、前記開閉カバー（Ｄ１）の移動に連動して移動可能且つ前記シート搬送路（ＳＨｈ）内を搬送される記録シート（Ｓ）に係合して移動可能に構成され、センサ部（６）は前記被検出部（３）の移動を検出する。
したがって、第１発明の画像形成装置では、検出センサ（７）により、開閉カバー（Ｄ１）の開閉の検出と、シート搬送路（ＳＨｈ）を搬送される記録シート（Ｓ）の検出を行うことができるので、開閉カバー（Ｄ１）の開閉を検出するセンサと記録シート（Ｓ）の検出を行うセンサを別個に設ける場合に比べ、センサの数を減らすことができる。この結果、第１発明の画像形成装置は、構成が単純化され、部品点数を少なくすることができる。したがって、画像形成装置の設計が容易になり、コストを低減することができる。
【００１０】
（第１発明の形態１）
第１発明の形態１の画像形成装置は、前記第１発明の画像形成装置において、次の構成要件（Ａ03），（Ａ04）を備えたことを特徴とする。
（Ａ03）検出光を出射する発光部（６ａ）と、前記検出光を受光可能な受光部（６ｂ）とを有する前記センサ部（６）、
（Ａ04）前記発光部（６ａ）から出射された前記検出光を遮光する遮光部（３ａ）を有する前記被検出部（３）。
（第１発明の形態１の作用）
前記構成要件（Ａ03），（Ａ04）を備えた第１発明の形態１の画像形成装置では、前記センサ部（６）の発光部（６ａ）は、検出光を出射し、受光部（６ｂ）は前記検出光を受光できる。被検出部（３）の遮光部（３ａ）は、前記発光部（６ａ）から出射された前記検出光を遮光する。すなわち、検出センサ（７）として、検出光を使用するフォトセンサを使用できる。
【００１１】
（第１発明の形態２）
第１発明の形態２の画像形成装置では、前記第１発明または第１発明の形態１の画像形成装置において、次の構成要件（Ａ05），（Ａ06）を備えたことを特徴とする。
（Ａ05）前記検出光を遮光する遮光位置と、前記検出光を遮光しない非遮光位置との間を、センサ回転中心（２ａ）を中心として回動可能に支持された前記被検出部（３）であって、前記開閉カバー（Ｄ１）が通常位置に保持され且つ前記シート搬送路（ＳＨｈ）内に記録シート（Ｓ）がない場合に前記検出光を遮光する遮光位置に保持されると共に、前記開閉カバー（Ｄ１）が開放位置に移動した場合または前記シート搬送路（ＳＨｈ）内を記録シート（Ｓ）が通過する場合に前記検出光を遮光しない位置に回動する前記被検出部（３）、
（Ａ06）前記開放位置と、前記通常位置との間をカバー回転中心（Ｄ１ａ）を中心として回動可能に構成された前記開閉カバー（Ｄ１）であって、前記センサ回転中心（２ａ）よりも外側に配置された前記カバー回転中心（Ｄ１ａ）を有する前記開閉カバー（Ｄ１）。
【００１２】
（第１発明の形態２）
前記構成要件（Ａ05），（Ａ06）を備えた第１発明の形態２の画像形成装置では、前記被検出部（３）は、前記検出光を遮光する遮光位置と、前記検出光を遮光しない非遮光位置との間をセンサ回転中心（２ａ）を中心として回動可能に構成されている。そして、前記被検出部（３）は、前記開閉カバー（Ｄ１）が通常位置に保持され且つ前記シート搬送路（ＳＨｈ）内に記録シート（Ｓ）がない場合に前記検出光を遮光する遮光位置に保持されると共に、前記開閉カバー（Ｄ１）が開放位置に移動した場合または前記シート搬送路（ＳＨｈ）内を記録シート（Ｓ）が通過する場合に前記検出光を遮光しない位置に回動する。前記開閉カバー（Ｄ１）は、前記開放位置と、前記通常位置との間をカバー回転中心（Ｄ１ａ）を中心として回動可能に構成され、前記センサ回転中心（２ａ）よりも外側に配置された前記カバー回転中心（Ｄ１ａ）を有する。
【００１３】
（第１発明の形態３）
第１発明の形態３の画像形成装置は、前記第１発明および第１発明の形態１，２のいずれかにおいて、次の構成要件（Ａ07）を備えたことを特徴とする。
（Ａ07）前記シート搬送路（ＳＨｈ）を搬送される記録シート（Ｓ）をガイドするシートガイド部（１）と一体的に形成された前記被検出部（３）。
（第１発明の形態３の作用）
前記構成要件（Ａ07）を備えた第１発明の形態３の画像形成装置では、前記被検出部（３）は、前記シート搬送路（ＳＨｈ）を搬送される記録シート（Ｓ）をガイドするシートガイド部（１）と一体的に形成されている。したがって、部品点数をさらに減らすことができる。また、シートガイド部（１）がある程度の重量を有しているので、被検出部（３）移動時のチャタリングを低減できる。
【発明の効果】
【００１４】
前述の本発明は、下記の効果（Ｅ01）〜（Ｅ03）を奏する。
（Ｅ01）センサの数を減らすことができるので、構成が単純になり設計が容易になる。
（Ｅ02）センサの数を減らすことができるので、部品点数を減らすことができる。
（Ｅ03）構成が単純化され、部品点数が減るので、コストを低減することができる。
【発明を実施するための最良の形態】
【００１５】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１６】
図１は実施例１の画像形成装置の全体説明図である。
図１において、実施例１の画像形成装置としてのプリンタＵは、プリンタ本体Ｕ１と、プリンタ本体Ｕ１に対して着脱可能に支持されたプロセスカートリッジＵ２及び定着ユニットＵ３とを有する。
プリンタ本体Ｕ１はマイクロコンピュータにより構成されたコントローラＣと、コントローラＣにより作動を制御されるＩＰＳ（イメージプロセッシングシステム）、レーザ駆動回路ＤＬ、および電源装置Ｅ等を有している。電源装置Ｅは、後述の帯電ローラＣＲ、現像ローラＧａおよび転写ローラＴｒ等にバイアス電圧を印加する。
前記ＩＰＳ（イメージプロセッシングシステム）は、外部のホストコンピュータ等から入力された印字データを潜像形成用の画像データに変換して所定のタイミングでレーザ駆動回路ＤＬに出力する。レーザ駆動回路ＤＬは、入力された画像データに応じてレーザ駆動信号をＲＯＳ（潜像形成装置）に出力する。
【００１７】
前記プロセスカートリッジＵ２は、像担持体ユニットＵ２ａおよび現像ユニットＵ２ｂを有している。前記プロセスカートリッジＵ２の像担持体ユニットＵ２ａは、像担持体ＰＲ、帯電ローラＣＲおよびそれらを回転可能に支持するトナー回収容器（クリーナ）ＣＬを有している。現像ユニットＵ２ｂは、現像容器Ｖを有しており、現像容器Ｖ内部には現像ローラＧａおよび現像剤攪拌部材Ｇｂが回転可能に支持されている。前記現像容器Ｖには現像剤カートリッジＫが着脱可能に装着されている。前記現像剤カートリッジＫ内部には現像剤を攪拌しながら前記現像剤撹拌部材Ｇｂに搬送する攪拌搬送部材Ｇｃが回転可能に支持されている。
【００１８】
回転する像担持体ＰＲの表面は、帯電領域Ｑ１において前記帯電器（チャージコロトロン）ＣＣにより帯電され、潜像書込位置Ｑ２において前記ＲＯＳ（潜像書込装置）から出射するレーザビームＬにより静電潜像が書き込まれる。前記静電潜像は現像領域Ｑ３において現像ユニットＵ３ｂの現像ローラＧａによりトナー像に現像され、像担持体ＰＲ及び転写ローラＴｒとの圧接領域により形成される転写領域Ｑ４において転写ローラＴｒにより記録シートＳに転写される。像担持体ＰＲ表面の残留トナーは、転写領域Ｑ４の下流側のクリーニング領域Ｑ５においてクリーニングブレードＣＢにより除去され（擦り取られ）、トナー回収容器ＣＬに回収される。
なお、前記クリーニングブレードＣＢの対向する側にはフィルムシールＦＳが設けられており、フィルムシールＦＳは前記トナー回収容器ＣＬ内に回収されたトナーが外にこぼれ出るのを防止する。
【００１９】
プリンタ本体Ｕ１の下部には、プリンタ本体Ｕ１に対して左右方向（Ｙ軸方向、図１の矢印参照）に挿抜可能に構成され、記録シート（用紙）Ｓを収容する給紙トレイＴＲ１が装着されている。前記給紙トレイＴＲ１から、ピックアップローラＲｐにより取出された記録シート（シート）Ｓは、さばきローラＲｓにより１枚づつ分離されて、シート搬送路ＳＨに沿って配置された搬送ローラＲａにより搬送され、転写領域Ｑ４のシート搬送方向の上流側に配置されたレジローラＲｒにより所定のタイミングで、前記転写領域Ｑ４に搬送される。
前記コントローラＣにより動作が制御される電源装置Ｅから所定のタイミングで転写バイアスが印加される転写ローラＴｒは、転写領域Ｑ４を通過する記録シートＳに像担持体ＰＲ上のトナー像を転写する。
【００２０】
図２は定着装置および排出ローラ部分の拡大説明図である。
図１、図２において、前記転写領域Ｑ４においてトナー像が転写された記録シートＳは、トナー像が未定着の状態で前記定着ユニットＵ３に搬送される。前記定着ユニットＵ３は一対の定着ローラＦｈ，Ｆｐからなる定着装置Ｆを有し、前記一対の定着ローラＦｈ，Ｆｐの圧接領域によって定着領域Ｑ６が形成される。前記定着ユニットＵ３に搬送された記録シートＳは、定着領域Ｑ６において定着装置Ｆの一対の定着ローラＦｈ，Ｆｐによりトナー像が定着される。定着トナー像が形成された記録シートＳは、シート排出路（シート搬送路）ＳＨｈを搬送され、シートガイド部材ＳＧ１，ＳＧ２によってガイドされて、シート排出ローラ（シート搬送ローラ）Ｒｈからプリンタ本体Ｕ１上面のシート排出トレイＴＲｈに排出される。前記シート排出ロールＲｈのシート排出方向下流側には、排出される記録シートＳを検出する排出シートセンサＳＮｈが配置されている。
【００２１】
（検出センサの説明）
図３は実施例１の画像形成装置の検出センサ部分の要部説明図であり、図３Ａは記録シートがシートガイドの部分にない状態の説明図、図３Ｂは記録シートがシートガイドの位置を通過している状態の説明図、図３Ｃはセンサ部の説明図である。
図４は開閉カバーとシートガイドとの連結構造の要部説明図であり、図４Ａは開閉カバーが通常位置に保持された状態の説明図、図４Ｂは開閉カバーが開放位置に移動した状態の説明図である。
図３において、定着領域Ｑ６の下流側に配置されたシートガイド部材ＳＧ１は、略三角形状のシートガイド部１がシート幅方向に複数連結された櫛歯状の部材により構成されている。図４において、前記シートガイド部材ＳＧ１の最前端のシートガイド部１の前側面には、前方に突出するアーム係合突起１ａが形成されている。
【００２２】
図３において、前記シートガイド部材ＳＧ１のシート幅方向前部には、右方（＋Ｙ方向）に延びるアーム部２が一体的に形成されている。前記アーム部２には、下方に延びる被検知部３が形成されており、前記被検知部３の下端部には遮光部３ａが設けられている。前記アーム部２の右端部は、プリンタ本体Ｕ１に回動可能に支持されており、ガイド回転中心（センサ回転中心）２ａを中心として、シートガイド部材ＳＧ１が回動可能に構成されている。したがって、前記シートガイド部材ＳＧ１は、重心がガイド回転中心２ａよりもシート排出路ＳＨｈ側に設定されているので、記録シートＳが無い状態ではシート排出路ＳＨｈを塞いだ状態で保持される（図３Ａ参照）。また、前記シートガイド部材ＳＧ１は、記録シートＳが搬送されると記録シートＳによりガイド回転中心２ａを中心として回動する（図３Ｂ参照）。
図３において、前記被検知部３の下方にはプリンタ本体Ｕ１に固定支持されたセンサ部６が配置されている。前記センサ部６は、前記遮光部３ａを前後に挟むように配置された発光部６ａ（図３Ｂ、図３Ｃ参照）および受光部６ｂ（図３Ｃ参照）とを有する。前記被検知部３およびセンサ部６等により検出センサ（フォトセンサ）７が構成されている。
【００２３】
図４において、定着装置Ｆの右方（＋Ｙ方向）には、開閉カバーＤ１がカバー回転中心Ｄ１ａを回転中心としてプリンタ本体Ｕ１に回動可能に支持されており、図４Ａに示す通常位置（閉鎖位置）と、図４Ｂに示す開放位置（ジャムクリア位置）との間で回動できる。なお、前記シートガイド部材ＳＧ２のシート排出方向上流側の上流側ガイド部材ＳＧ２ａは開閉カバーＤ１に支持されており、下流側の下流側ガイド部材ＳＧ２ｂはプリンタ本体Ｕ１に支持されている。
前記開閉カバーＤ１の前端部には、上下方向に延びるレバーアーム支持部材１１が開閉カバーＤ１の左端に沿って支持されている。前記レバーアーム支持部材１１は、レバーアーム支持部１１ａを有しており、レバーアーム支持部１１ａには、レバーアーム１２がアーム回転中心１１ｂを回転中心として回転可能に支持されている。前記レバーアーム１２には、突起係合用長孔１２ａが形成されており、前記突起係合用長孔１２ａには、前記アーム係合突起１ａが移動可能な状態で係合している。
【００２４】
したがって、前記開閉カバーＤ１が回動する場合、突起係合用長孔１２ａとアーム係合突起１ａとの係合により、開閉カバーＤ１の回動に連動してシートガイド部材ＳＧ１がガイド回転中心２ａを中心として回動する。したがって、開閉カバーＤ１の移動に連動して遮光部３ａも移動するので、センサ部６は前記遮光部３ａの移動を検出できる。
また、図３、図４Ａにおいて、開閉カバーＤ１が通常位置に保持された状態で記録シートＳが搬送された場合（図３Ｂに示す場合）、アーム係合突起１ａが突起係合用長孔１２ａで移動可能且つレバーアーム１２がレバーアーム支持部１１ａに回動可能に支持されているので、レバーアーム１２に規制されずにシートガイド部材ＳＧ１がガイド回転中心２ａを中心として回動できる。したがって、記録シートＳの有無に応じてシートガイド部材ＳＧ１の遮光部３ａも移動するので、センサ部６は遮光部３ａの移動を検出できる。
【００２５】
（実施例１の作用）
前記構成を備えた実施例１の画像形成装置Ｕでは、通常時は、図２、図３Ａに示すように開閉カバーＤ１が通常位置に保持され、遮光部３ａがセンサ部６の検出光を遮光する遮光位置に保持される。
画像形成動作（印刷動作、ジョブ）が実行され、画像が記録された記録シートＳが定着装置Ｆを通過すると、シートガイド部材ＳＧ１に接触（係合）して、シートガイド部材ＳＧ１がガイド回転中心２ａを中心として回動する（図３Ｂ参照）。このとき、遮光部３ａが回動して、センサ部６の検査光を遮光しない非遮光位置（シート検出時非遮光位置）に移動する。したがって、センサ部６の受光部６ｂは検査光を受光でき、遮光部３ａの移動を検出できる。この結果、遮光部３ａとセンサ部６とを有する検出センサ７の検出結果に基づいて、記録シートＳの有無を検出できる。
【００２６】
したがって、定着装置Ｆを通過する予定時間を経過しても検出センサ７で記録シートＳを検出できない場合には、検出センサ７のシート搬送方向上流側で紙詰まり（ジャム）が発生していることを検出できる。また、記録シートＳの前端（遮光状態→受光状態）を検出してから、記録シートＳが通過する予定の時間が経過しても記録シートの後端（受光状態→遮光状態）を検出できない場合には、シート排出路ＳＨｈ（検出センサ７の位置）で記録シートＳのジャムが発生していることを検出できる。
【００２７】
前記シート排出路ＳＨｈでジャムが発生した場合、ユーザが開閉カバーＤ１を回動して開放位置（図４Ｂ参照）に移動させると、シートガイド部材ＳＧ１が開閉カバーＤ１と連動して移動し、シート排出路ＳＨｈが開放される。したがって、この状態で、ユーザはシート排出路ＳＨｈに詰まった記録シートＳを除去できる。このとき、シートガイド部材ＳＧ１の移動に伴い、遮光部３ａが非遮光位置（開放時非遮光位置）に移動するため（図４Ｂ参照）、センサ部６は遮光部３ａの移動を検出できる。したがって、画像形成動作を実行していない時にセンサ部６が受光状態になった場合、開閉センサＤ１が開放されたものと判別できる。なお、画像形成動作中にセンサ部６が受光状態になった場合、開閉センサＤ１の開放か、ジャムの発生かを区別できないが、いずれの場合でも画像形成動作を続行することができないので、画像形成動作を続行できない問題（トラブル）が発生したものと判別できる。
【００２８】
したがって、実施例１の画像形成装置Ｕでは、検出センサ７により記録シートＳの検出と、開閉カバーＤ１の検出を行うことができる。この結果、開閉カバーＤ１の開閉を検出するセンサと記録シートＳの検出を行うセンサを別個に設ける場合に比べ、センサの数を減らすことができる。よって、実施例１の画像形成装置Ｕは、部品点数を少なくすることができ、構成を単純化できる。したがって、画像形成装置Ｕのコストを低減でき、設計も容易になる。
また、実施例１の画像形成装置Ｕでは、被検出部３をシートガイド部１と一体的に構成しているため、構成がさらに単純化され、コストを低減できる。また、被検出部３をシートガイド部１と一体的に構成しているため、シートガイド部１にある程度の重量がある。したがって、記録シートＳ通過後に非遮光位置から遮光位置に戻った時に発生しやすいチャタリング（他の部材に衝突・跳ね返り、がたつく現象）を低減することができ、検出センサ７の検出結果がふらつくことを低減できる。
【産業上の利用可能性】
【００２９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）本発明は、プリンタに限定されず、複写機、ＦＡＸ、複合機等の画像形成装置に適用可能である。また、モノクロの画像形成装置に限定されず、カラーの画像形成装置にも適用可能である。また、電子写真方式の画像形成装置に限定されず、インクジェット記録方式の画像形成装置等にも適用可能である。
【００３０】
（Ｈ02）前記実施例において、被検出部３をシートガイド部１と一体的に構成したが、これに限定されず、シートガイド部１とは別体に構成されたシート排出路ＳＨｈ内に突出するロッド状部材を被検出部３と一体的に（または連動して）移動可能に構成することも可能である。
（Ｈ03）前記実施例において、検出センサ７をシートガイド部材ＳＧ１の前側部分に設けたが、検出センサ７をシート幅方向に複数配置することも可能である。この場合、記録シートがシート幅方向に波打ちしたジャムが発生した場合でも高い精度でジャムを検出することができる。
（Ｈ04）前記実施例において、カバー回転中心Ｄ１ａとセンサ回転中心（ガイド回転中心）２ａとを別の位置に設定したが、同一の位置に設定することも可能である。
【００３１】
（Ｈ05）前記実施例において、発光部６ａと受光部６ｂとが対向して配置された透過型のフォトセンサにより構成したが、検査光を反射可能な反射部材を有する被検出部により構成し、反射部材で反射された検査光を受光可能な受光部を有する反射型のフォトセンサとすることも可能である。また、検出センサ７を遮光部３ａ、発光部６ａおよび受光部６ｂを有するフォトセンサにより構成したが、これに限定されず、従来公知の種々のセンサを使用することが可能であり、例えば、遮光位置で被検出部に接触し、非遮光位置に移動した場合に離隔する接触式のセンサを使用することも可能である。さらに、被検出部３がセンサ回転中心を中心として回動可能な構成としたが、これに限定されず、検出位置（遮光位置）と、非検出状態（非遮光位置）とをスライド移動可能な構成とすることも可能である。
（Ｈ06）前記実施例において、シート排出路ＳＨｈを開放する開閉カバーＤ１について説明を行ったが、その他のシート搬送路ＳＨを開放する開閉カバーの開閉の検出およびそのシート搬送路ＳＨの記録シートの検出に適用することも可能である。
【図面の簡単な説明】
【００３２】
【図１】図１は実施例１の画像形成装置の全体説明図である。
【図２】図２は定着装置および排出ローラ部分の拡大説明図である。
【図３】図３は実施例１の画像形成装置の検出センサ部分の要部説明図であり、図３Ａは記録シートがシートガイドの部分にない状態の説明図、図３Ｂは記録シートがシートガイドの位置を通過している状態の説明図、図３Ｃはセンサ部の説明図である。
【図４】図４は開閉カバーとシートガイドとの連結構造の要部説明図であり、図４Ａは開閉カバーが通常位置に保持された状態の説明図、図４Ｂは開閉カバーが開放位置に移動した状態の説明図である。
【符号の説明】
【００３３】
１…シートガイド部、
２ａ…センサ回転中心、
３…被検出部、
３ａ…遮光部、
６…センサ部、
６ａ…発光部、
６ｂ…受光部、
７…検出センサ、
Ｄ１…開閉カバー、
Ｄ１ａ…カバー回転中心、
Ｓ…記録シート、
ＳＨｈ…シート搬送路。
【図１】
2006227464.tif 000003
【図２】
2006227464.tif 000004
【図３】
2006227464.tif 000005
【図４】
2006227464.tif 000006